(57)【要約】      （修正有）【課題】型枠を傾斜状態に保持できるようにするとともに、パイプを型枠に確実に固定できるセパレータを提供する。【解決手段】止めねじ１と、その頭部１ａに設けた雌ねじ１ｂに螺合するボトル２とよりなる型枠３のセパレータであって、雌ねじ１ｂは、止めねじ１の締結具４への取り付け状態において、その中心軸Ｃが型枠３の傾斜角α相当の角度でもうけることによって、型枠を傾斜状態に保持できるようにした。【選択図】図１
0003148146.tif 000002
【実用新案登録請求の範囲】
【請求項１】
止めねじ１と、その頭部１ａに設けた雌ねじ１ｂに螺合するボルト２とよりなる型枠３のセパレータであって、前記雌ねじ１ｂは、止めねじ１のホームタイ４への取り付け状態において、その中心軸Ｃが型枠３の傾斜角α相当の角度で設けられていることを特徴とするセパレータ。
【考案の詳細な説明】
【技術分野】
【０００１】  本考案は型枠の傾斜を保持するためのセパレータに関するものである。
【背景技術】
【０００２】  従来例のセパレータは、図２に示すように、自在Ｐコン１１と、その頭部１１ａの雌ねじ１１ｂに螺合するボルト１２とより構成されている。
自在Ｐコン１１は、雄ねじ１１ｅと、これと一体の頭部１１ａとより構成され、頭部１１ａには雄ねじ１１ｅと同体の雌ねじ１１ｂが設けられている。
そして、自在Ｐコン１１は、ホームタイ１４への取り付け状態において、その中心軸Ｃがホームタイ１４のボトル１４ａと同軸となるように螺合される。【０００３】  このため、Ｐコン１１の頭部１１ａの型枠との接触面ｆは、型枠の傾斜角α相当の角度に設定される。以上のような構成となっているので、型枠とパイプの間に隙間ができるため、従来は傾斜角αに対応する間挿部材１６を型枠１３とパイプ１５の間にはめている。
【考案の開示】
【考案が解決しようとする課題】
【０００４】  このように従来例にあっては、型枠とパイプの間に必ず間挿部材をはめなければならない。又コンクリート打設時のバイブレータ等の振動によって間挿部材ががたつき、パイプか落下するという問題があった。
【課題を解決するための手段】
【０００５】  本考案は上記の問題点を解決するためになされたもので、止めねじ１と、その頭部１ａに設けた雌ねじ１ｂに螺合するボルト２とよりなる型枠３のセパレータであって、前記雌ねじ１ｂは、止めねじの１のホームタイ４への取り付け状態において、その中心軸Ｃが型枠３の傾斜角α相当の角度で設けたものである。
【考案の効果】
【０００６】  以上説明したように、本考案によれば、止めねじ１の頭部１ａに設けた雌ねじ１ｂを止めねじ１のホームタイ４への取り付け状態において、型枠３の傾斜角α相当の角度で設けたことで、ホームタイ４を型枠３に直角に取り付けることが出来る。このため、従来のように間挿部材１６をはめることなく、パイプ５を型枠３に確実に取り付けることができる。又、作業効率も格段に向上する。
【考案を実施するための最良の形態】
【０００７】  以下この考案の実施の形態を実施例によって説明する。
【実施例】
【０００８】  図１は、本考案の実施例にかかるセパレータの構成と、これを型枠に取り付けた状態を表す詳細図である。
図１において、セパレータは止めねじ１と、その頭部１ａに設けた雌ねじ１ｂに螺合するボルト２とより構成されている。又、止めねじ１の頭部１ａに設けた雌ねじ１ｂは、止めねじ１のホームタイ４への取り付け状態において、その中心軸Ｃが型枠３の傾斜角α相当の角度で設けられている。【０００９】  このため、ホームタイ４は止めねじ１の雌ねじ１ｅと同軸に螺合されて型枠３に直角に取り付けることができる。
このような構成となっているので型枠とパイプとの間に間挿部材１６をはめずにパイプ５は型枠３に確実に固定されている。
【産業上の利用可能性】
【００１０】  本考案にかかるセパレータは、さまざまな変形型枠に使用できるとともに、間挿部材を使用しない構成となっているので、省コスト化にも貢献し利用価値も大きい。
【図面の簡単な説明】
【００１１】
【図１】実施例のセパレータを型枠に取り付けた状態を表す側面図である。
【図２】従来例のセパレータを型枠に取り付けた状態を表す側面図である。
【符号の説明】
１．          止めねじ
１ａ          止めねじ頭部
１ｂ、１１ｂ  雌ねじしめ
Ｃ            中心軸
１ｅ、１１ｅ  雄ねじ
２，１２      ボルト
３，１３      型枠
４，１４      ホームタイ
５，１５      パイプ
１１          自在Ｐコン
１４ａ        ボルト
１６          間挿部材
ｆ            型枠接続面
【図１】
0003148146.tif 000003
【図２】
0003148146.tif 000004
【手続補正書】
【提出日】平成20年9月1日(2008.9.1)
【手続補正１】
【補正対象書類名】実用新案登録請求の範囲
【補正対象項目名】全文
【補正方法】変更
【補正の内容】
【実用新案登録請求の範囲】
【請求項１】
止めねじ１と、その頭部１ａに設けた雌ねじ１ｂに螺合するボルト２とよりなる型枠３のセパレータであって、前記雌ねじ１ｂは、止めねじ１の締結具４への取り付け状態において、その中心軸Ｃが型枠３の傾斜角α相当の角度で設けられていることを特徴とするセパレータ。
【手続補正２】
【補正対象書類名】明細書
【補正対象項目名】０００２
【補正方法】変更
【補正の内容】
【０００２】  従来例のセパレータは、図２に示すように、自在Ｐコン１１と、その頭部１１ａの雌ねじ１１ｂに螺合するボルト１２とより構成されている。
自在Ｐコン１１は、雄ねじ１１ｅと、これと一体の頭部１１ａとより構成され、頭部１１ａには雄ねじ１１ｅと同体の雌ねじ１１ｂが設けられている。
そして、自在Ｐコン１１は、締結具１４への取り付け状態において、その中心軸Ｃが締結具１４のボトル１４ａと同軸となるように螺合される。
【手続補正３】
【補正対象書類名】明細書
【補正対象項目名】０００５
【補正方法】変更
【補正の内容】
【０００５】  本考案は上記の問題点を解決するためになされたもので、止めねじ１と、その頭部１ａに設けた雌ねじ１ｂに螺合するボルト２とよりなる型枠３のセパレータであって、前記雌ねじ１ｂは、止めねじの１の締結具４への取り付け状態において、その中心軸Ｃが型枠３の傾斜角α相当の角度で設けたものである。
【手続補正４】
【補正対象書類名】明細書
【補正対象項目名】０００６
【補正方法】変更
【補正の内容】
【０００６】  以上説明したように、本考案によれば、止めねじ１の頭部１ａに設けた雌ねじ１ｂを止めねじ１の締結具４への取り付け状態において、型枠３の傾斜角α相当の角度で設けたことで締結具４を型枠３に直角に取り付けることが出来る。このため、従来のように間挿部材１６をはめることなく、パイプ５を型枠３に確実に取り付けることができる。又、作業効率も格段に向上する。
【手続補正５】
【補正対象書類名】明細書
【補正対象項目名】０００８
【補正方法】変更
【補正の内容】
【０００８】  図１は、本考案の実施例にかかるセパレータの構成と、これを型枠に取り付けた状態を表す詳細図である。
図１において、セパレータは止めねじ１と、その頭部１ａに設けた雌ねじ１ｂに螺合するボルト２とより構成されている。又、止めねじ１の頭部１ａに設けた雌ねじ１ｂは、止めねじ１の締結具４への取り付け状態において、その中心軸Ｃが型枠３の傾斜角α相当の角度で設けられている。
【手続補正６】
【補正対象書類名】明細書
【補正対象項目名】０００９
【補正方法】変更
【補正の内容】
【０００９】  このため、締結具４は止めねじ１の雌ねじ１ｅと同軸に螺合されて型枠３に直角に取り付けることができる。
このような構成となっているので型枠とパイプとの間に間挿部材１６をはめずにパイプ５は型枠３に確実に固定されている。
【手続補正７】
【補正対象書類名】明細書
【補正対象項目名】００１１
【補正方法】変更
【補正の内容】
【００１１】
【図１】実施例のセパレータを型枠に取り付けた状態を表す側面図である。
【図２】従来例のセパレータを型枠に取り付けた状態を表す側面図である。
【符号の説明】
１．          止めねじ
１ａ          止めねじ頭部
１ｂ、１１ｂ  雌ねじしめ
Ｃ            中心軸
１ｅ、１１ｅ  雄ねじ
２，１２      ボルト
３，１３      型枠
４，１４      締結具
５，１５      パイプ
１１          自在Ｐコン
１４ａ        ボルト
１６          間挿部材
ｆ            型枠接続面